(57)【要約】【課題】時分割複信(TDD)キャリアを利用したワイヤレス通信のための自己完結型(self-contained)サブフレーム構造を提供する。【解決手段】本開示の態様は、完全に自己完結型であり得る時分割複信(TDD)キャリアのためのサブフレーム構造を提供する。すなわち、TDDキャリア上で送信される情報はサブフレームにグループ化されてよく、各サブフレームは、別のサブフレーム内の任意のさらなる情報を必要とせずに、そのような通信を可能にするのに適した様式で両方向(たとえば、アップリンクおよびダウンリンク)の通信を提供する。たとえば、単一のサブフレームは、スケジューリング情報と、スケジューリング情報に対応するデータ情報と、データ情報に対応する応答情報とを含み得る。【選択図】図５
2020174407.tif 000002
【特許請求の範囲】
【請求項１】
複数のサブフレームを介してスケジューリングエンティティが時分割複信(TDD)キャリアを利用して1つまたは複数の下位エンティティと通信するためのワイヤレス通信の方法であって、前記方法が、
少なくとも複数のサブフレームのセットに関するサブフレーム構造を利用するステップであって、前記セット内の前記複数のサブフレームの各々が、同じ持続時間を有し、前記サブフレーム構造が、制御部分と、データ部分と、応答部分とを含む、ステップと、
前記複数のサブフレームのうちのあるサブフレームの前記制御部分においてスケジューリング情報を送信するステップと、
下位エンティティのセットと関連する前記サブフレームの前記データ部分において前記スケジューリング情報に対応するデータ情報を送信するステップと、
前記サブフレームの前記応答部分において前記データ情報に対応する応答情報を受信するステップであって、前記制御部分、前記データ部分、および前記応答部分が同じサブフレーム内に含まれる、ステップと
を含む、方法。
【請求項２】
前記複数のサブフレームが各々、アップリンクデータまたはダウンリンクデータの少なくとも1つを搬送するための複数の送信時間間隔(TTI)によって定義される、請求項1に記載の方法。
【請求項３】
前記複数のサブフレームが各々、各々がデータのブロックを含むとともにシンボルの収集に対応している複数の送信時間間隔(TTI)によって定義される、請求項1に記載の方法。
【請求項４】
前記サブフレームが、複数の送信時間間隔(TTI)によって定義され、各TTIが、他のTTIに対して独立して復号されるように構成される情報を含む、請求項1に記載の方法。
【請求項５】
前記サブフレームが、ダウンリンクデータまたはアップリンクデータの少なくとも1つを搬送するように構成可能な複数の送信時間間隔(TTI)によって定義される、請求項1に記載の方法。
【請求項６】
前記サブフレーム構造が構成可能なサブフレーム持続時間を有し、前記構成可能なサブフレーム持続時間が前記複数のサブフレームにわたって前記同じ持続時間を含む、請求項1に記載の方法。
【請求項７】
前記制御部分が、前記スケジューリング情報を含む物理ダウンリンク制御チャネルを含む、請求項1に記載の方法。
【請求項８】
前記物理ダウンリンク制御チャネル内でハイブリッド自動再送要求(HARQ)構成情報を送信するステップをさらに含む、請求項7に記載の方法。
【請求項９】
前記下位エンティティのセットが前記応答情報を送信するための前記サブフレーム内の所定の時間を前記物理ダウンリンク制御チャネルにおいて送信するステップをさらに含む、請求項7に記載の方法。
【請求項１０】
前記データ情報が、少なくとも1つのデータパケットを含み、前記データ情報を送信するステップが、
時分割多重化、周波数分割多重化、または符号分割多重化のうちの少なくとも1つを使用して、前記サブフレームの前記データ部分内で複数の他のデータパケットと多重化された前記少なくとも1つのデータパケットを送信するステップをさらに含む、請求項1に記載の方法。
【請求項１１】
前記サブフレームの前記応答部分内でアップリンク情報を受信することであって、前記アップリンク情報が、物理アップリンク制御チャネル、ランダムアクセスチャネル、スケジューリング要求、サウンディング基準信号、チャネル品質インジケータ、チャネル状態フィードバック情報、またはバッファ状態のうちの少なくとも1つを含む、ステップをさらに含む、請求項1に記載の方法。
【請求項１２】
前記サブフレームの前記データ部分と前記サブフレームの前記応答部分との間にガード期間を提供するステップをさらに含む、請求項1に記載の方法。
【請求項１３】
前記ガード期間が構成可能なガード期間持続時間を有する、請求項12に記載の方法。
【請求項１４】
1つまたは複数の下位エンティティとのワイヤレス通信を管理するように構成されたスケジューリングエンティティが、
プロセッサと、
前記プロセッサに通信可能に結合されたワイヤレストランシーバと、
前記プロセッサに通信可能に結合されたメモリとを備え、前記プロセッサが、
時分割複信(TDD)キャリア内の少なくとも複数のサブフレームのセットに関するサブフレーム構造を利用することであって、前記セット内の前記複数のサブフレームの各々が、同じ持続時間を有し、前記サブフレーム構造が、制御部分と、データ部分と、応答部分とを含む、ことと、
前記ワイヤレストランシーバを介して前記複数のサブフレームのうちのあるサブフレームの前記制御部分においてスケジューリング情報を送信することと、
前記ワイヤレストランシーバを介して下位エンティティのセットと関連する前記サブフレームの前記データ部分において前記スケジューリング情報に対応するデータ情報を送信することと、
前記ワイヤレストランシーバを介して前記サブフレームの前記応答部分において前記データ情報に対応する応答情報を受信することであって、前記制御部分、前記データ部分、および前記応答部分が同じサブフレーム内に含まれる、ことと
をするように構成される、スケジューリングエンティティ。
【請求項１５】
前記複数のサブフレームが各々、アップリンクデータまたはダウンリンクデータの少なくとも1つを搬送するための複数の送信時間間隔(TTI)によって定義される、請求項14に記載のスケジューリングエンティティ。
【請求項１６】
前記複数のサブフレームが各々、各々がデータのブロックを含むとともにシンボルの収集に対応している複数の送信時間間隔(TTI)によって定義される、請求項14に記載のスケジューリングエンティティ。
【請求項１７】
前記サブフレームが、複数の送信時間間隔(TTI)によって定義され、各TTIが、他のTTIに対して独立して復号されるように構成される情報を含む、請求項14に記載のスケジューリングエンティティ。
【請求項１８】
前記サブフレームが、ダウンリンクデータまたはアップリンクデータの少なくとも1つを搬送するように構成可能な複数の送信時間間隔(TTI)によって定義される、請求項14に記載のスケジューリングエンティティ。
【請求項１９】
前記サブフレーム構造が構成可能なサブフレーム持続時間を有し、前記構成可能なサブフレーム持続時間が前記複数のサブフレームにわたって前記同じ持続時間を含む、請求項14に記載のスケジューリングエンティティ。
【請求項２０】
前記制御部分が、前記スケジューリング情報を含む物理ダウンリンク制御チャネルを含む、請求項14に記載のスケジューリングエンティティ。
【請求項２１】
前記プロセッサが、
前記物理ダウンリンク制御チャネル内でハイブリッド自動再送要求(HARQ)構成情報を送信するようにさらに構成される、請求項20に記載のスケジューリングエンティティ。
【請求項２２】
前記プロセッサが、
前記下位エンティティのセットが前記応答情報を送信するための前記サブフレーム内の所定の時間を前記物理ダウンリンク制御チャネルにおいて送信するようにさらに構成される、請求項20に記載のスケジューリングエンティティ。
【請求項２３】
前記データ情報が、少なくとも1つのデータパケットを含み、前記プロセッサが、
時分割多重化、周波数分割多重化、または符号分割多重化のうちの少なくとも1つを使用して、前記サブフレームの前記データ部分内で複数の他のデータパケットと多重化された前記少なくとも1つのデータパケットを送信するようにさらに構成される、請求項14に記載のスケジューリングエンティティ。
【請求項２４】
前記プロセッサが、
前記サブフレームの前記応答部分内でアップリンク情報を受信することであって、前記アップリンク情報が、物理アップリンク制御チャネル、ランダムアクセスチャネル、スケジューリング要求、サウンディング基準信号、チャネル品質インジケータ、チャネル状態フィードバック情報、またはバッファ状態のうちの少なくとも1つを含む、ことをするようにさらに構成される、請求項14に記載のスケジューリングエンティティ。
【請求項２５】
前記プロセッサが、
前記サブフレームの前記データ部分と前記サブフレームの前記応答部分との間にガード期間を提供するようにさらに構成される、請求項14に記載のスケジューリングエンティティ。
【請求項２６】
前記ガード期間が構成可能なガード期間持続時間を有する、請求項25に記載のスケジューリングエンティティ。
【請求項２７】
複数のサブフレームを介してスケジューリングエンティティが時分割複信(TDD)キャリアを利用して1つまたは複数の下位エンティティと通信するためのワイヤレス通信の方法であって、前記方法が、
少なくとも複数のサブフレームのセットに関するサブフレーム構造を利用するステップであって、前記セット内の前記複数のサブフレームの各々が、同じ持続時間を有し、前記サブフレーム構造が、制御部分と、データ部分と、応答部分とを含む、ステップと、
前記複数のサブフレームのうちのあるサブフレームの前記制御部分においてスケジューリング情報を送信するステップと、
下位エンティティのセットと関連する前記サブフレームの前記データ部分において前記スケジューリング情報に対応するデータ情報を受信するステップと、
前記サブフレームの前記応答部分において前記データ情報に対応する応答情報を送信するステップであって、前記制御部分、前記データ部分、および前記応答部分が同じサブフレーム内に含まれる、ステップと
を含む、方法。
【請求項２８】
前記複数のサブフレームが各々、アップリンクデータまたはダウンリンクデータの少なくとも1つを搬送するための複数の送信時間間隔(TTI)によって定義される、請求項27に記載の方法。
【請求項２９】
前記複数のサブフレームが各々、各々がデータのブロックを含むとともにシンボルの収集に対応している複数の送信時間間隔(TTI)によって定義される、請求項27に記載の方法。
【請求項３０】
前記サブフレームが、複数の送信時間間隔(TTI)によって定義され、各TTIが、他のTTIに対して独立して復号されるように構成される情報を含む、請求項27に記載の方法。
【請求項３１】
前記サブフレームが、ダウンリンクデータまたはアップリンクデータの少なくとも1つを搬送するように構成可能な複数の送信時間間隔(TTI)によって定義される、請求項27に記載の方法。
【請求項３２】
前記サブフレーム構造が構成可能なサブフレーム持続時間を有し、前記構成可能なサブフレーム持続時間が前記複数のサブフレームにわたって前記同じ持続時間を含む、請求項27に記載の方法。
【請求項３３】
前記サブフレームの前記データ部分内でアップリンク情報を受信するステップであって、前記アップリンク情報が、物理アップリンク制御チャネル、ランダムアクセスチャネル、スケジューリング要求、サウンディング基準信号、チャネル品質インジケータ、チャネル状態フィードバック情報、またはバッファ状態のうちの少なくとも1つを含む、ステップをさらに含む、請求項27に記載の方法。
【請求項３４】
前記サブフレームの前記制御部分と前記サブフレームの前記データ部分との間にガード期間を提供するステップをさらに含む、請求項27に記載の方法。
【請求項３５】
前記サブフレームの前記データ部分と前記サブフレームの前記応答部分との間に追加のガード期間を提供するステップをさらに含む、請求項34に記載の方法。
【請求項３６】
1つまたは複数の下位エンティティとのワイヤレス通信を管理するように構成されたスケジューリングエンティティが、
プロセッサと、
前記プロセッサに通信可能に結合されたワイヤレストランシーバと、
前記プロセッサに通信可能に結合されたメモリとを備え、前記プロセッサが、
時分割複信(TDD)キャリア内の少なくとも複数のサブフレームのセットに関するサブフレーム構造を利用することであって、前記セット内の前記複数のサブフレームの各々が、同じ持続時間を有し、前記サブフレーム構造が、制御部分と、データ部分と、応答部分とを含む、ことと、
前記ワイヤレストランシーバを介して前記複数のサブフレームのうちのあるサブフレームの前記制御部分においてスケジューリング情報を送信することと、
前記ワイヤレストランシーバを介して下位エンティティのセットと関連する前記サブフレームの前記データ部分において前記スケジューリング情報に対応するデータ情報を受信することと、
前記ワイヤレストランシーバを介して前記サブフレームの前記応答部分において前記データ情報に対応する応答情報を送信することであって、前記制御部分、前記データ部分、および前記応答部分が同じサブフレーム内に含まれる、ことと
をするように構成される、スケジューリングエンティティ。
【請求項３７】
前記複数のサブフレームが各々、アップリンクデータまたはダウンリンクデータの少なくとも1つを搬送するための複数の送信時間間隔(TTI)によって定義される、請求項36に記載のスケジューリングエンティティ。
【請求項３８】
前記複数のサブフレームが各々、各々がデータのブロックを含むとともにシンボルの収集に対応している複数の送信時間間隔(TTI)によって定義される、請求項36に記載のスケジューリングエンティティ。
【請求項３９】
前記サブフレームが、複数の送信時間間隔(TTI)によって定義され、各TTIが、他のTTIに対して独立して復号されるように構成される情報を含む、請求項36に記載のスケジューリングエンティティ。
【請求項４０】
前記サブフレームが、ダウンリンクデータまたはアップリンクデータの少なくとも1つを搬送するように構成可能な複数の送信時間間隔(TTI)によって定義される、請求項36に記載のスケジューリングエンティティ。
【請求項４１】
前記サブフレーム構造が構成可能なサブフレーム持続時間を有し、前記構成可能なサブフレーム持続時間が前記複数のサブフレームにわたって前記同じ持続時間を含む、請求項36に記載のスケジューリングエンティティ。
【請求項４２】
前記プロセッサが、
前記サブフレームの前記データ部分内でアップリンク情報を受信することであって、前記アップリンク情報が、物理アップリンク制御チャネル、ランダムアクセスチャネル、スケジューリング要求、サウンディング基準信号、チャネル品質インジケータ、チャネル状態フィードバック情報、またはバッファ状態のうちの少なくとも1つを含む、ことをするようにさらに構成される、請求項36に記載のスケジューリングエンティティ。
【請求項４３】
前記プロセッサが、
前記サブフレームの前記制御部分と前記サブフレームの前記データ部分との間にガード期間を提供するようにさらに構成される、請求項36に記載のスケジューリングエンティティ。
【請求項４４】
前記プロセッサが、
前記サブフレームの前記データ部分と前記サブフレームの前記応答部分との間に追加のガード期間を提供するようにさらに構成される、請求項43に記載のスケジューリングエンティティ。
【請求項４５】
命令を備えるコンピュータ可読記憶媒体であって、前記命令が、コンピュータによって実行されると、前記コンピュータに、スケジューリングエンティティが時分割複信(TDD)キャリアを利用して下位エンティティのセットと通信するための同期ネットワークにおけるワイヤレス通信の動作を実行させ、前記TDDキャリアが複数のサブフレームを備え、前記動作が、
前記複数のサブフレームの各々に関するサブフレーム構造を利用するステップであって、前記サブフレーム構造が、制御部分と、データ部分と、応答部分とを含む、ステップと、
前記複数のサブフレームのうちのあるサブフレームの前記制御部分においてスケジューリング情報を送信するステップと、
前記サブフレームの前記データ部分において前記スケジューリング情報に対応するデータ情報を通信するステップであって、前記データ情報が、前記下位エンティティのセットの少なくとも一部に関連し、前記制御部分にスケジュールされたデータパケットを含む、ステップと、
前記サブフレームの前記応答部分において前記データ情報に対応する応答情報を通信するステップであって、前記データ部分において前記データパケットが前記応答部分において応答され、前記制御部分、前記データ部分、および前記応答部分が同じサブフレーム内に含まれる、ステップと
を含む、コンピュータ可読記憶媒体。
【請求項４６】
前記サブフレーム構造が構成可能なサブフレーム持続時間を有する、請求項45に記載のコンピュータ可読記憶媒体。
【請求項４７】
前記構成可能なサブフレーム持続時間が前記同期ネットワークにわたって固定される、請求項46に記載のコンピュータ可読記憶媒体。
【請求項４８】
前記応答情報を通信するステップが、
前記応答情報を前記サブフレーム内の所定の時間にを開始するステップをさらに含む、請求項45に記載のコンピュータ可読記憶媒体。
【請求項４９】
前記データ情報を通信するステップが、
前記サブフレームの前記データ部分において前記スケジューリングエンティティから前記下位エンティティのセットに前記データ情報を送信するステップをさらに含む、請求項45に記載のコンピュータ可読記憶媒体。
【請求項５０】
前記スケジューリングエンティティから前記下位エンティティのセットに前記データ情報を送信するステップが、
時分割多重化、周波数分割多重化、または符号分割多重化のうちの少なくとも1つを使用して、前記サブフレームの前記データ部分内で前記下位エンティティのセットに送信されるデータパケットを多重化するステップをさらに含む、請求項49に記載のコンピュータ可読記憶媒体。
【請求項５１】
前記スケジューリング情報を送信するステップが、
前記サブフレームの前記制御部分内で前記下位エンティティのセットに送信される前記データパケットの各々に関する前記スケジューリング情報を送信するステップをさらに含む、請求項50に記載のコンピュータ可読記憶媒体。
【請求項５２】
前記応答情報を通信するステップが、
前記下位エンティティのセットから、前記下位エンティティのセットのうちの各下位エンティティが前記データ部分において前記下位エンティティに関する前記データ情報を正確に受信したかどうかを示す、肯定応答/否定応答(ACK/NACK)パケットを受信するステップと、
前記サブフレームの前記応答部分内で前記下位エンティティのセットからアップリンク情報を受信するステップであって、前記アップリンク情報が、物理アップリンク制御チャネル、ランダムアクセスチャネル、スケジューリング要求、サウンディング基準信号、チャネル品質インジケータ、チャネル状態フィードバック情報、またはバッファ状態のうちの少なくとも1つを含む、ステップと
をさらに含む、請求項45に記載のコンピュータ可読記憶媒体。
【請求項５３】
前記動作が、
前記サブフレームの前記データ部分と前記サブフレームの前記応答部分との間にガード期間を含めるステップであって、前記ガード期間が構成可能なガード期間持続時間を有する、ステップをさらに含む、請求項45に記載のコンピュータ可読記憶媒体。
【請求項５４】
前記スケジューリングエンティティと前記下位エンティティのセットとの間で前記サブフレームを送信するステップが、
前記スケジューリング情報を前記スケジューリングエンティティから前記下位エンティティのセットに送信するステップであって、前記スケジューリング情報が、前記サブフレーム内で前記データ情報を送信するために前記下位エンティティのセットによって使用するために利用可能なリソースに対応する、ステップと、
前記下位エンティティのセットの少なくとも一部から前記データ情報を受信するステップと、
前記スケジューリングエンティティから前記下位エンティティのセットの前記一部に肯定応答/否定応答(ACK/NACK)パケットを送信するステップであって、前記ACK/NACKパケットが、前記スケジューリングエンティティが前記下位エンティティのセットの前記一部のうちの各下位エンティティから前記データ情報を正確に受信したかどうかを示す、ステップと、
前記サブフレームの前記制御部分においてデータパケットを搬送するステップであって、前記サブフレームの前記データ部分内の前記データ情報が、前記データパケットに対応する確認応答パケットを含む、ステップと
をさらに含む、請求項45に記載のコンピュータ可読記憶媒体。
【請求項５５】
前記動作が、
前記サブフレームの前記制御部分と前記サブフレームの前記データ部分との間にガード期間を含めるステップと、
前記サブフレームの前記データ部分と前記サブフレームの前記応答部分との間に追加のガード期間を含めるステップと
をさらに含む、請求項54に記載のコンピュータ可読記憶媒体。
【請求項５６】
前記ガード期間および前記追加のガード期間の各々が、それぞれの構成可能なガード期間を有し、前記動作が、
前記データ部分を前記サブフレーム内の第1の所定の時間に開始するステップと、
前記応答部分を前記サブフレーム内の第2の所定の時間に開始するステップと
をさらに含む、請求項55に記載のコンピュータ可読記憶媒体。
【請求項５７】
下位エンティティが時分割複信(TDD)キャリアを利用してスケジューリングエンティティと通信するための同期ネットワークにおけるワイヤレス通信の方法であって、前記TDDキャリアが複数のサブフレームを備え、前記方法が、
前記複数のサブフレームの各々に関するサブフレーム構造を利用するステップであって、前記サブフレーム構造が、制御部分と、データ部分と、応答部分とを含む、ステップと、
前記複数のサブフレームのうちのあるサブフレームの前記制御部分においてスケジューリング情報を受信するステップと、
前記サブフレームの前記データ部分において前記スケジューリング情報に対応するデータ情報を通信するステップと、
前記サブフレームの前記応答部分において前記データ情報に対応する応答情報を通信するステップであって、前記制御部分、前記データ部分、および前記応答部分が同じサブフレーム内に含まれる、ステップと
を含む、方法。
【請求項５８】
前記データ情報を通信するステップが、前記サブフレームの前記データ部分において前記スケジューリング情報に対応する前記スケジューリングエンティティからデータ情報を受信するステップをさらに含み、前記応答情報を通信するステップが、前記サブフレームの前記応答部分において前記データ情報に対応する前記スケジューリングエンティティに応答情報を送信するステップをさらに含む、請求項57に記載の方法。
【請求項５９】
前記データ情報を通信するステップが、前記サブフレームの前記データ部分において前記スケジューリング情報に対応する前記スケジューリングエンティティにデータ情報を送信するステップをさらに含み、前記応答情報を通信するステップが、前記サブフレームの前記応答部分において前記データ情報に対応する前記スケジューリングエンティティから応答情報を受信するステップをさらに含む、請求項57に記載の方法。
【請求項６０】
下位エンティティ装置であって、請求項57から59のいずれか一項に記載の方法を行うための手段を備える、装置。
【請求項６１】
命令を備えるコンピュータ可読記憶媒体であって、前記命令が、コンピュータによって実行されると、前記コンピュータに、請求項57から59のいずれか一項に記載の方法を実行させる、コンピュータ可読記憶媒体。
【請求項６２】
下位エンティティが時分割複信(TDD)キャリアを利用してスケジューリングエンティティと通信するためのネットワークにおけるワイヤレス通信の方法であって、前記TDDキャリアが複数のサブフレームを備え、前記方法が、
前記複数のサブフレームの各々に関するサブフレーム構造を利用するステップであって、前記複数のサブフレームの各々が、同じ持続時間を含み、前記サブフレーム構造が、制御部分と、データ部分と、応答部分とを含む、ステップと、
前記複数のサブフレームのうちのあるサブフレームの前記制御部分においてスケジューリング情報を受信するステップと、
前記サブフレームの前記データ部分において前記スケジューリング情報に対応するデータ情報を受信するステップと、
前記サブフレームの前記応答部分において前記データ情報に対応する応答情報を送信するステップであって、前記制御部分、前記データ部分、および前記応答部分が同じサブフレーム内に含まれる、ステップと
を含み、
前記複数のサブフレームが各々が、
アップリンクデータまたはダウンリンクデータのうちの少なくとも1つを搬送するための複数の送信時間間隔(TTI)と、
各々がデータのブロックを含むとともにシンボルの収集に対応している複数の送信時間間隔(TTI)と、
各送信時間間隔(TTI)が他のTTIに対して独立して復号されるように構成される情報を含む複数のTTIと、
ダウンリンクデータまたはアップリンクデータのうちの少なくとも1つを搬送するように構成可能な複数の送信時間間隔(TTI)とのうちの1つによって定義される、方法。
【請求項６３】
スケジューリングエンティティが時分割複信(TDD)キャリアを利用して下位エンティティのセットと通信するためのネットワークにおけるワイヤレス通信の方法であって、前記TDDキャリアが複数のサブフレームを備え、前記方法が、
前記複数のサブフレームの各々に関するサブフレーム構造を利用するステップであって、前記複数のサブフレームの各々が、同じ持続時間を含み、前記サブフレーム構造が、制御部分と、データ部分と、応答部分とを含む、ステップと、
前記複数のサブフレームのうちのあるサブフレームの前記制御部分においてスケジューリング情報を送信するステップと、
前記サブフレームの前記データ部分において前記スケジューリング情報に対応するデータ情報を送信するステップであって、前記データ情報が、前記下位エンティティのセットの少なくとも一部に関連し、前記制御部分内でスケジュールされたデータパケットを含む、ステップと、
前記サブフレームの前記応答部分において前記データ情報に対応する応答情報を受信するステップであって、前記制御部分、前記データ部分、および前記応答部分が同じサブフレーム内に含まれる、ステップと
を含む、方法。
【請求項６４】
スケジューリングエンティティが時分割複信(TDD)キャリアを利用して下位エンティティのセットと通信するためのネットワークにおけるワイヤレス通信の方法であって、前記TDDキャリアが複数のサブフレームを備え、前記方法が、
前記複数のサブフレームの各々に関するサブフレーム構造を利用するステップであって、前記複数のサブフレームの各々が、同じ持続時間を含み、前記サブフレーム構造が、制御部分と、データ部分と、応答部分とを含む、ステップと、
前記複数のサブフレームのうちのあるサブフレームの前記制御部分においてスケジューリング情報を送信するステップと、
前記サブフレームの前記データ部分において前記スケジューリング情報に対応するデータ情報を受信するステップであって、前記データ情報が、前記下位エンティティのセットの少なくとも一部に関連し、前記制御部分内でスケジュールされたデータパケットを含む、ステップと、
前記サブフレームの前記応答部分において前記データ情報に対応する応答情報を送信するステップであって、前記制御部分、前記データ部分、および前記応答部分が同じサブフレーム内に含まれる、ステップと
を含む、方法。
【請求項６５】
スケジューリングエンティティ装置であって、請求項63または請求項64に記載の方法を行うための手段を備える、装置。
【請求項６６】
命令を備えるコンピュータ可読記憶媒体であって、前記命令が、コンピュータによって実行されると、前記コンピュータに、請求項63または請求項64に記載の方法を行わせる、コンピュータ可読記憶媒体。
【発明の詳細な説明】
【技術分野】
【０００１】
関連出願の相互参照
本出願は、2015年3月15日に米国特許商標庁に出願した仮出願第62/133,386号、および2015年11月13日に米国特許商標庁に出願した非仮出願第14/940,546号の優先権および利益を主張するものであり、その内容全体は、参照により本明細書に組み込まれている。
【０００２】
本開示の態様は、一般に、ワイヤレス通信システムに関し、より詳細には、時分割複信(TDD)キャリアを利用したワイヤレス通信のための自己完結型(self-contained)サブフレーム構造に関する。
【背景技術】
【０００３】
ワイヤレス通信ネットワークは、テレフォニー、ビデオ、データ、メッセージング、ブロードキャストなどの様々な通信サービスを提供するために広く配備されている。通常、多元接続ネットワークであるそのようなネットワークは、利用可能なネットワークリソースを共有することによって、複数のユーザのための通信をサポートする。
【０００４】
そのようなワイヤレス通信ネットワークに割り振られたスペクトルは、許可スペクトルおよび/または無許可スペクトルを含み得る。許可スペクトルは、一般に、所与の領域内で政府機関または他の機関によって規制されるような許可使用を除いて、ワイヤレス通信のためのその使用が限定される。無許可スペクトルは、一般に、そのような許可の購入または使用なしに、限度内で自由に使用できる。ワイヤレス通信システムの使用が増大し続けるにつれて、電話、スマートフォン、PC、スマートメータ、リモートセンサー、スマートアラーム、メッシュノードなどを含むが、これらに限定されない、多くの異なる使用事例における追加のスペクトルの再割振りに対する要求も増大した。
【０００５】
多くの場合、このスペクトルは、多くの既存の周波数分割複信(FDD)システムにおいて利用される対にされたキャリアが利用可能でないか、または一致した帯域幅構成内で利用可能でないかのいずれかであるように割り振られている(または、そうなるように予想される)。したがって、ワイヤレス通信システムのための多くの将来の配備において時分割複信(TDD)キャリアが利用されることが予想される。
【０００６】
以下では、本開示の1つまたは複数の態様についての基本的な理解を促すために、そのような態様の簡略化された概要を提示する。この概要は、本開示のすべての意図した特徴の包括的な概説ではなく、本開示のすべての態様の重要または不可欠な要素を識別するものでも、本開示のいずれかまたはすべての態様の範囲を定めるものでもない。その唯一の目的は、後に提示されるより詳細な説明に対する前置きとして、本開示の1つまたは複数の態様のいくつかの概念を簡略化された形で提供することである。
【発明の概要】
【課題を解決するための手段】
【０００７】
本開示の様々な態様は、完全に自己完結型であり得る、時分割複信(TDD)キャリアのためのサブフレーム構造を提供する。すなわち、TDDキャリア上で送信される情報はサブフレームにグループ化されてよく、各サブフレームは、スケジューリングエンティティと下位エンティティとの間のパケットのセットの通信を可能にするのに適した様式で両方向(たとえば、下位エンティティからスケジューリングエンティティへのアップリンク、およびスケジューリングエンティティから下位エンティティへのダウンリンク)における通信を提供する。たとえば、単一のサブフレームは、スケジューリング情報と、スケジューリング情報に対応するデータ情報と、データ情報に対応する応答情報とを含み得る。
【０００８】
一態様では、本開示は、スケジューリングエンティティが時分割複信(TDD)キャリアを利用して下位エンティティのセットと通信するための同期ネットワーク内のワイヤレス通信の方法を提供し、TDDキャリアは複数のサブフレームを備え、この方法は、複数のサブフレームの各々に関するサブフレーム構造を提供するステップであって、サブフレーム構造が、制御部分と、データ部分と、応答部分とを含む、提供するステップを含む。この方法は、スケジューリング情報をサブフレームの制御部分内に含めるステップと、スケジューリング情報に対応するデータ情報をサブフレームのデータ部分内に含めるステップであって、データ情報が、下位エンティティのセットに関連し、かつ制御部分内でスケジュールされたすべてのデータパケットを含む、含めるステップと、データ情報に対応する応答情報をサブフレームの応答部分内に含めるステップとによって、複数のサブフレームのサブフレームを生成するステップをさらに含む。データ部分内のデータパケットのすべては、応答部分および制御部分内で応答され、データ部分および応答部分は同じサブフレーム内に含まれる。
【０００９】
本開示の別の態様は、ワイヤレスネットワーク内でワイヤレス通信ネットワークを管理するように構成されたスケジューリングエンティティを提供する。スケジューリングエンティティは、複数のサブフレームの各々に関するサブフレーム構造を提供することであって、サブフレーム構造が、制御部分と、データ部分と、応答部分とを含む、提供することを行うように構成された処理システムを含む。処理システムは、スケジューリング情報をサブフレームの制御部分内に含めることと、スケジューリング情報に対応するデータ情報をサブフレームのデータ部分内に含めることであって、データ情報が、下位エンティティのセットに関連し、かつ制御部分内でスケジュールされたすべてのデータパケットを含む、含めることと、データ情報に対応する応答情報をサブフレームの応答部分内に含めることとによって、複数のサブフレームのサブフレームを生成するようにさらに構成される。データ部分内のデータパケットのすべては、応答部分および制御部分内で応答され、データ部分および応答部分は同じサブフレーム内に含まれる。
【００１０】
本開示の別の態様は、複数のサブフレームの各々に関するサブフレーム構造を提供するための手段であって、サブフレーム構造が、制御部分と、データ部分と、応答部分とを含む、提供するための手段を含む、スケジューリングエンティティ装置をワイヤレスネットワーク内に提供する。スケジューリングエンティティは、スケジューリング情報をサブフレームの制御部分内に含めることと、スケジューリング情報に対応するデータ情報をサブフレームのデータ部分内に含めることであって、データ情報が、下位エンティティのセットに関連し、かつ制御部分内でスケジュールされたすべてのデータパケットを含む、含めることと、データ情報に対応する応答情報をサブフレームの応答部分内に含めることとによって、複数のサブフレームのサブフレームを生成するための手段をさらに含む。データ部分内のデータパケットのすべては、応答部分および制御部分内で応答され、データ部分および応答部分は同じサブフレーム内に含まれる。
【００１１】
本開示の追加の態様の例が以下に続く。いくつかの態様では、サブフレーム構造は構成可能なサブフレーム持続時間を有する。いくつかの態様では、構成可能なサブフレーム持続時間は同期ネットワークにわたって固定される。いくつかの態様では、応答情報はサブフレーム内の所定の時間に開始する。いくつかの態様では、スケジューリング情報は、スケジューリングエンティティから下位エンティティのセットに送信される。いくつかの態様では、制御部分は、物理ダウンリンク制御チャネル、物理ダウンリンク共有チャネル、および/またはパイロット信号のうちの少なくとも1つを含む制御情報を含む。いくつかの態様では、物理ダウンリンク制御チャネルは、データ再送信がデータ情報内に含まれる、下位エンティティのセットに対するデータ再送信に対するサポートを提供するためのハイブリッド自動再送要求(HARQ)構成情報を搬送する。いくつかの態様では、サブフレーム内の応答情報を開始するための所定の時間は、物理ダウンリンク制御チャネル内に含まれる。
【００１２】
ダウンリンク中心(downlink-centric)サブフレームに対応するいくつかの態様では、データ情報は、サブフレームのデータ部分内でスケジューリングエンティティから下位エンティティのセットに送信される。いくつかの態様では、下位エンティティのセットに対するデータ送信は、時分割多重化、周波数分割多重化、または符号分割多重化のうちの少なくとも1つを使用して、サブフレームのデータ部分内で多重化される。いくつかの態様では、制御部分は、下位エンティティのセットに送信されたデータパケットの各々に関するスケジューリング情報を含む。いくつかの態様では、応答情報は、下位エンティティのセット内の各下位エンティティがサブフレームのデータ部分内で下位エンティティに関するデータ情報を正確に受信したかどうかを示す、下位エンティティのセットからの肯定応答/否定応答(ACK/NACK)パケットを含む。いくつかの態様では、サブフレームの応答部分は、下位エンティティのセットからのアップリンク制御情報をさらに含む。いくつかの態様では、アップリンク制御情報は、物理アップリンク制御チャネル、ランダムアクセスチャネル、スケジューリング要求、サウンディング基準信号、チャネル品質インジケータ、チャネル状態フィードバック情報、またはバッファ状態のうちの少なくとも1つを含む。いくつかの態様では、サブフレームのデータ部分とサブフレームの応答部分との間にガード期間が含まれる。いくつかの態様では、ガード期間は構成可能なガード期間持続時間を有する。
【００１３】
いくつかの態様では、サブフレームの制御部分内のスケジューリング情報は、スケジューリングエンティティから下位エンティティのセットに送信され、スケジューリング情報は、サブフレーム内でデータ情報のために下位エンティティのセットによって使用するために利用可能なリソースに対応する。いくつかの態様では、サブフレームのデータ部分内のデータ情報は、下位エンティティのセットの少なくとも一部分から受信され、サブフレームの応答部分内の応答情報は、スケジューリングエンティティが下位エンティティのセットの一部分内で各下位エンティティからデータ情報を正確に受信したかどうかを示す、スケジューリングエンティティから下位エンティティのセットの一部分に送信されたACK/NACKを含む。いくつかの態様では、データ送信は、サブフレームの制御部分内でさらに搬送され、サブフレームのデータ部分内のデータ情報は、それぞれのデータパケットの各々に対応する応答パケットを含む。
【００１４】
いくつかの態様では、サブフレームの制御部分とサブフレームのデータ部分との間にガード期間が含まれる。いくつかの態様では、サブフレームのデータ部分とサブフレームの応答部分との間に追加のガード期間が含まれる。いくつかの態様では、ガード期間は、各々、それぞれの構成可能なガード期間持続時間を有し、データ部分はサブフレーム内の第1の所定の時間に開始し、応答部分はサブフレーム内の第2の所定の時間に開始する。
【００１５】
本発明のこれらおよび他の態様は、後述の詳細な説明をよく見ると、より完全に理解されることになろう。添付図面とともに本発明の特定の例示的実施形態の以下の説明をよく見ると、本発明の他の態様、特徴、および実施形態が当業者に明らかになろう。本発明の特徴が、下記のいくつかの実施形態および図に関して論じられる場合があるが、本発明のすべての実施形態が、本明細書で論じる有利な特徴のうちの1つまたは複数を含むことができる。言い換えれば、1つまたは複数の実施形態は、いくつかの有利な特徴を有するものとして論じられる場合があるが、そのような特徴のうちの1つまたは複数はまた、本明細書で論じる本発明の様々な実施形態に従って使用され得る。同様に、例示的な実施形態はデバイスの実施形態、システムの実施形態、または方法の実施形態として以下で論じられる場合があるが、そのような例示的な実施形態は様々なデバイス、システム、および方法において実施され得ることを理解されたい。
【図面の簡単な説明】
【００１６】
【図１】ネットワークアーキテクチャの一例を示す図である。
【図２】いくつかの実施形態による、スケジューリングエンティティが1つまたは複数の下位エンティティと通信している一例を概念的に示すブロック図である。
【図３】いくつかの実施形態による、処理システムを採用するスケジューリングエンティティのためのハードウェア実装形態の一例を示すブロック図である。
【図４】いくつかの実施形態による、処理システムを採用する下位エンティティのためのハードウェア実装形態の一例を示すブロック図である。
【図５】いくつかのネットワーク内で使用され得る時分割複信(TDD)自己完結型サブフレーム構造の一例を示す図である。
【図６】各々が、いくつかのネットワーク内で使用され得るTDD自己完結型サブフレーム構造を有する連続TDDサブフレームを示す図である。
【図７】いくつかのネットワーク内で使用され得るTDD自己完結型サブフレーム構造の一例を示す図である。
【図８】いくつかのネットワーク内で使用され得るTDD自己完結型サブフレーム構造の一例を示す図である。
【図９】各々が、いくつかのネットワーク内で使用され得るTDD自己完結型サブフレーム構造を有するTDDサブフレームのシーケンスの一例を示す図である。
【図１０】ワイヤレス通信の方法のフローチャートである。
【図１１】ワイヤレス通信の方法のフローチャートである。
【発明を実施するための形態】
【００１７】
添付の図面に関して以下に記載する詳細な説明は、種々の構成の説明として意図されており、本明細書で説明する概念が実践される場合がある唯一の構成を表すことは意図されていない。詳細な説明は、種々の概念を完全に理解できるようにするための具体的な詳細を含む。しかしながら、これらの概念がこれらの具体的な詳細なしに実践される場合があることは当業者に明らかであろう。いくつかの事例では、よく知られている構造および構成要素は、そのような概念を不明瞭にすることを避けるためにブロック図の形で示される。
【００１８】
本開示全体にわたって提示される種々の概念は、幅広い種類の電気通信システム、ネットワークアーキテクチャ、および通信規格にわたって実装することができる。本開示を通して説明するエンティティまたはデバイスのうちのいくつかを示すために、図1はネットワーク100の一般例を示す図である。この例では、ネットワーク100は、いくつかのセルラー領域102/110に分割されている。多元接続ネットワークの文脈で、チャネルリソースを一般にスケジュールすることができ、各エンティティは同期型であり得る。すなわち、ネットワークを利用する各ノードは、フレームの割り振られた部分中にだけ送信が行われ、各割り振られた部分の時間は様々なノード間で同期されるように、リソースのその使用を調整することができる。各セルラー領域102/110内の1つのノードはスケジューリングエンティティとして機能する。
【００１９】
各スケジューリングエンティティ104/108は、デバイス間(D2D)ネットワークおよび/またはメッシュネットワーク内の基地局もしくはアクセスポイント、またはユーザ機器(UE)106であってよい。スケジューリングエンティティ104/108は、キャリア上のリソースを管理して、セルラーネットワーク100内の1つまたは複数のUE106など、下位エンティティを含めて、チャネルの他のユーザにリソースを割り当てる。スケジューリングエンティティ104は、無線ベアラ制御と、受付制御と、モビリティ制御と、スケジューリングと、セキュリティと、集中型コントローラおよび/またはゲートウェイへの接続性とを含むすべての無線関連機能を担当する。ネットワーク100のこの例には、集中コントローラは存在しないが、代替構成では、集中コントローラが使用されてもよい。
【００２０】
1つまたは複数の低電力クラススケジューリングエンティティ108が、1つまたは複数の他のセルラー領域(セル)102と重なり合うセルラー領域110を有する場合がある。低電力クラススケジューリングエンティティ108はフェムトセル(たとえば、ホームスケジューリングエンティティ)、ピコセル、マイクロセル、リモートラジオヘッド、または場合によっては、別のUE106とすることができる。マクロスケジューリングエンティティ104は各々、それぞれのセル102に割り当てられ、セル102内のUE106のすべてに対して、コアネットワークへのアクセスポイントを提供するように構成される。
【００２１】
ネットワーク100によって採用される変調方式および多元接続方式は、利用されている特定の電気通信規格に応じて変わる場合がある。LTE規格において定義される無線アクセスネットワークなど、いくつかの無線アクセスネットワークでは、周波数分割複信(FDD)とTDDの両方をサポートするために、ダウンリンク(DL)上で直交周波数分割多重化(OFDM)が使用され、アップリンク(UL)上でシングルキャリア周波数分割多元接続(SC-FDMA)が使用される。当業者が以下の詳細な説明から容易に理解するように、本明細書において提示される種々の概念は、他の変調および多元接続技法を利用する電気通信標準規格を含む、種々のアプリケーションの場合によく適している。例として、これらの概念は、5G、LTE、エボリューションデータオプティマイズド(EV-DO)において採用することもできる。EV-DOは、CDMA2000規格ファミリの一部として第3世代パートナーシッププロジェクト2(3GPP2)によって公表されたエアインターフェース規格であり、移動局にブロードバンドインターネットアクセスを提供するために、CDMAを採用する。これらの概念はまた、広帯域CDMA(W-CDMA)およびTD-SCDMAなどのCDMAの他の変形形態を採用するユニバーサル地上無線アクセス(UTRA)、TDMAを採用するモバイル通信用グローバスシステム(GSM(登録商標))、ならびにOFDMAを採用する発展型UTRA(E-UTRA)、IEEE 802.11(Wi-Fi)、IEEE 802.16(WiMAX)、IEEE 802.20、およびFlash-OFDMに拡張されてもよい。UTRA、E-UTRA、UMTS、LTE、およびGSM(登録商標)は、3GPP組織からの文書に記載されている。CDMA2000は3GPP2団体からの文書に記載されている。採用される実際のワイヤレス通信規格および多元接続技術は、具体的な適用例およびシステムに課された全体的な設計制約によって決まる。
【００２２】
スケジューリングエンティティ104は、MIMO技術をサポートする複数のアンテナを有してもよい。MIMO技術の使用により、スケジューリングエンティティ104は空間領域を活用して、空間多重化、ビームフォーミング、および送信ダイバーシティをサポートすることが可能になる。空間多重化を用いて、同じ周波数上で異なるデータストリームを同時に送信することができる。データストリームは、データレートを上げるために単一のUE106に送信することができるか、または、全体的なシステム容量を増大させるために複数のUE106に送信することができる。これは、各データストリームを空間的にプリコーディングし(すなわち、振幅および位相のスケーリングを適用し)、その後、空間的にプリコーディングされた各ストリームを、複数の送信アンテナを通してダウンリンク(DL)上で送信することによって達成される。空間的にプリコーディングされたデータストリームは、異なる空間シグネチャとともにUE106に到達し、これにより、UE106の各々は、そのUE106に向けられた1つまたは複数のデータストリームを復元することができる。アップリンク(UL)上では、各UE106は、空間的にプリコーディングされたデータストリームを送信し、これにより、スケジューリングエンティティ104は、空間的にプリコーディングされた各データストリームのソースを識別することが可能になる。
【００２３】
空間多重化は一般に、チャネル状態が良好なときに使用される。チャネル状態がそれほど好ましくないとき、送信エネルギーを1つまたは複数の方向に集中させるためにビームフォーミングが使用され得る。このことは、複数のアンテナを通じた送信向けにデータを空間的にプリコーディングすることによって実現され得る。セルのエッジにおいて良好なカバレッジを達成するために、単一ストリームビームフォーミング送信が、送信ダイバーシティと組み合わせて使用される場合がある。
【００２４】
本明細書で説明するアクセスネットワークの特定の態様は、DL上でOFDMをサポートするシステムに関連する場合がある。OFDMは、OFDMシンボル内のいくつかのサブキャリアにわたってデータを変調するスペクトル拡散技法である。サブキャリアは、厳密な周波数ごとに離間される。離間は、レシーバがサブキャリアからデータを復元できるようにする「直交性」を実現する。時間領域では、OFDMシンボル間干渉をなくすために、各OFDMシンボルにガードインターバル(たとえば、サイクリックプレフィックス)が追加されてもよい。ULは、高いピーク対平均電力比(PAPR)を補償するために、離散フーリエ変換(DFT)拡散OFDM信号の形態でSC-FDMAを使用し得る。
【００２５】
次に図2を参照すると、ブロック図は、例示的なスケジューリングエンティティ202が複数の下位エンティティ204とワイヤレス通信していることを示す。スケジューリングエンティティ202は、ダウンリンクデータチャネル206およびダウンリンク制御チャネル208を送信し、下位エンティティ204は、アップリンクデータチャネル210およびアップリンク制御チャネル212を送信する。当然、図1内に示すチャネルは、必ずしも、スケジューリングエンティティ202と下位エンティティ204との間で利用され得るチャネルのすべてではなく、当業者は、他のデータチャネル、制御チャネル、およびフィードバックチャネルなど、他のチャネルが、示されたチャネルに加えて利用され得ることを認める。
【００２６】
本開示の態様によれば、ダウンリンク(DL)という用語は、スケジューリングエンティティ202において発するポイントツーマルチポイント送信を指す場合がある。さらに、アップリンク(UL)という用語は、下位エンティティ204において発するポイントツーポイント送信を指す場合がある。
【００２７】
大まかに、スケジューリングエンティティ202は、ダウンリンク伝送、およびいくつかの例では、1つまたは複数の下位エンティティ204からスケジューリングエンティティ202へのアップリンクデータ210を含む、ワイヤレス通信ネットワーク内のトラフィックをスケジューリングすることを担当するノードまたはデバイスである。スケジューリングエンティティ202は、基地局、ネットワークノード、ユーザ機器(UE)、アクセス端末、またはワイヤレス通信ネットワーク内の任意の適切なノードまたはピアとすることができ、あるいはそれらの中に存在することができる。
【００２８】
大まかに、下位エンティティ204は、限定はしないが、スケジューリング認可、同期情報もしくはタイミング情報、またはスケジューリングエンティティ202などのワイヤレス通信ネットワーク内の別のエンティティからの他の制御情報を含むスケジューリング制御情報を受信するノードまたはデバイスである。下位エンティティは、基地局、ネットワークノード、UE、アクセス端末、またはワイヤレス通信ネットワーク内の任意の適切なノードまたはピアとすることができ、あるいはそれらの中に存在することができる。
【００２９】
図2内に示すように、スケジューリングエンティティ202は、1つまたは複数の下位エンティティ204にダウンリンクデータ206を送信することができる。さらに、下位エンティティ204は、スケジューリングエンティティ202にアップリンクデータ210を送信することができる。本開示の態様によれば、アップリンクデータ210および/またはダウンリンクデータ206は、送信時間間隔(TTI)内で送信され得る。本明細書で使用されるTTIという用語は、メディアアクセス制御(MAC)レイヤ以上において処理されるシンボルの最小収集に対応するデータのブロックが無線インターフェース上で物理レイヤによって転送される期間を指す。本開示の態様によれば、TTIはサブフレームの持続時間に等しい。したがって、本明細書でさらに使用されるサブフレームという用語は、独立して復号されることが可能な単一のTTI内で送られる情報のカプセル化されたセットを指す。様々な態様では、複数のサブフレームが一緒にグループ化されて単一のフレームを形成する。たとえば、LTEにおいて、TTI(サブフレーム持続時間)は1msに設定されるが、フレーム持続時間は、10個のサブフレームに対応する10msに設定される。しかしながら、本開示の範囲内で、サブフレームは、250μs、1ms、または任意の適切な持続時間を有してよい。同様に、任意の適切な数のサブフレームがフレームを占有してよい。フレームは、一般に、同期および他の目的で、上位開放型システム間相互接続(OSI:Open Systems Interconnection)レイヤによって利用される。
【００３０】
一態様では、スケジューリングエンティティ202は、単一のサブフレーム内で下位エンティティのセット(すなわち、2つ以上の下位エンティティ)に対してダウンリンクデータを多重化することができる。たとえば、スケジューリングエンティティ202は、時分割多重化、周波数分割多重化(たとえば、OFDM)、符号分割多重化、および/または当業者に知られている任意の適切な多重化方式を使用して、下位エンティティのセットに対してダウンリンクデータを多重化することができる。同様に、任意の適切な多元接続方式を利用して、単一のサブフレーム内で複数の下位エンティティ204からのアップリンクデータを組み合わせることができる。
【００３１】
スケジューリングエンティティ202は、ダウンリンク制御チャネル208を1つまたは複数の下位エンティティ204にさらにブロードキャストすることができる。ダウンリンク制御チャネル208は、いくつかの例では、物理ダウンリンク制御チャネル(PDCCH)、物理ダウンリンク共有チャネル(PDSCH)、および/または、チャネル状態情報基準信号(CSI-RS)パイロットなど、任意の他の制御チャネルもしくはパイロットを含み得る。なお、さらなる例では、ダウンリンク制御チャネル208は、1つまたは複数のサブフレーム内のアップリンクデータ210がスケジューリングエンティティ202において正確に受信されたかどうかを示す応答情報(たとえば、肯定応答(ACK)/否定応答(NACK)パケット)を含み得る。たとえば、データパケットは、チェックサムおよび/または巡回冗長検査(CRC)など、確認ビットを含み得る。したがって、データパケットを受信するデバイスは、データパケットを受信および復号し、確認ビットに従って、受信および復号されたパケットの完全性を確認することができる。確認が成功するとき、肯定応答(ACK)を送信されてよいが、確認が失敗するとき、否定応答(NACK)が送信されてよい。
【００３２】
さらに、下位エンティティ204は各々、アップリンク制御チャネル212をスケジューリングエンティティ202に送信することができる。アップリンク制御チャネル212は、いくつかの例では、物理アップリンク制御チャネル(PUCCH)、ランダムアクセスチャネル(RACH)、スケジューリング要求(SR)、サウンディング基準信号(SRS)、チャネル品質インジケータ(CQI)、チャネル状態フィードバック情報、バッファ状態情報、任意の他の適切な情報またはシグナリングを含み得る。なお、さらなる例では、アップリンク制御チャネル212は、1つまたは複数のサブフレーム内のダウンリンクデータ206が下位エンティティ204において正確に受信されたかどうかを示す応答情報(たとえば、肯定応答(ACK)/否定応答(NACK)パケット)を含み得る。
【００３３】
図3は、処理システム314を採用するスケジューリングエンティティ202のためのハードウェア実装形態の一例を示す概念図である。本開示の種々の態様によれば、要素、もしくは要素の任意の部分、または要素の任意の組合せを、1つまたは複数のプロセッサ304を含む処理システム314を用いて実装することができる。
【００３４】
本開示の様々な態様では、スケジューリングエンティティ202は、任意の適切な無線トランシーバ装置であり得るし、いくつかの例では、基地局(BS)、トランシーバ基地局(BTS)、無線基地局、無線トランシーバ、トランシーバ機能、基本サービスセット(BSS)、拡張サービスセット(ESS)、アクセスポイント(AP)、ノードB、eノードB(eNB)、メッシュノード、リレー、ピア、または何らかの他の適切な用語によって具現化することができる。本文書において、基地局は、スケジューリングエンティティと呼ばれる場合があり、これは、基地局が、1つまたは複数の下位エンティティにスケジューリング情報を提供することを示す。
【００３５】
他の例では、スケジューリングエンティティ202は、ワイヤレスユーザ機器(UE)によって実施することができる。UEの例には、セルラーフォン、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲームコンソール、エンターテインメントデバイス、自動車コンポーネント、ウェアラブルコンピューティングデバイス(たとえば、スマートウォッチ、ヘルストラッカもしくはフィットネストラッカなど)、アプライアンス、センサ、自動販売機、または任意の他の同様の機能デバイスが含まれる。UEは、当業者により、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末(AT)、モバイル端末、ワイヤレス端末、リモート端末、ハンドセット、端末、ユーザエージェント、モバイルクライアント、クライアント、または他の任意の適切な用語で呼ばれる場合もある。本文書において、UEは、スケジューリングエンティティ、または下位エンティティと呼ばれる場合がある。すなわち、本開示の様々な態様において、ワイヤレスUEは、1つまたは複数の下位エンティティにスケジューリング情報を提供するスケジューリングエンティティとして動作し得るか、またはスケジューリングエンティティによって提供されるスケジューリング情報に従って下位エンティティとして動作し得る。
【００３６】
プロセッサ304の例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明する種々の機能を実行するように構成される他の適切なハードウェアを含む。すなわち、スケジューリングエンティティ202内で利用されるようなプロセッサ304は、以下で説明するプロセスのうちのいずれか1つまたは複数を実装するために使用され得る。
【００３７】
この例において、処理システム314は、バス302によって概略的に表されるバスアーキテクチャを用いて実装することができる。バス302は、処理システム314の特定のアプリケーションと、全体的な設計制約とに応じて、任意の数の相互接続するバスおよびブリッジを含む場合がある。バス302は、(プロセッサ304によって概略的に表される)1つまたは複数のプロセッサと、メモリ305と、(コンピュータ可読媒体306によって概略的に表される)コンピュータ可読媒体とを含む種々の回路を互いにリンクする。バス302は、タイミングソース、周辺機器、電圧レギュレータ、および電力管理回路などの様々な他の回路をリンクさせることもできるが、これらの回路は当技術分野でよく知られており、したがって、これ以上は説明しない。バスインターフェース308は、バス302とトランシーバ310との間にインターフェースを提供する。トランシーバ310は、送信媒体上の様々な他の装置と通信するための手段を提供する。装置の性質に応じて、ユーザインターフェース312(たとえば、キーパッド、ディスプレイ、タッチスクリーン、スピーカ、マイクロフォン、ジョイスティック)を設けることもできる。
【００３８】
プロセッサ304は、バス302を管理すること、およびコンピュータ可読媒体306上に記憶されたソフトウェアの実行を含む全般的な処理を担当する。ソフトウェアは、プロセッサ304によって実行されるとき、処理システム314に、任意の特定の装置のための以下に説明する種々の機能を実行させる。コンピュータ可読媒体306は、ソフトウェアを実行するとき、プロセッサ304によって操作されるデータを記憶するために使用されてもよい。
【００３９】
本開示のいくつかの態様では、プロセッサ304は、時間周波数リソースのリソース割当てまたは認可を生成、スケジュール、および修正するように構成された、リソース割当ておよびサブフレーム制御回路341を含む場合がある。たとえば、リソース割当ておよびサブフレーム制御回路341は、各々が複数の下位エンティティとの間でデータおよび/または制御情報を搬送するために割り当てられた時間周波数リソースを含む、1つまたは複数のサブフレームを生成することができる。リソース割当ておよびサブフレーム制御回路341は、リソース割当ておよびサブフレーム制御ソフトウェア351と協動することができる。
【００４０】
プロセッサ304はダウンリンクデータおよび制御チャネルを生成して、送信するように構成されたダウンリンク(DL)データおよび制御チャネル生成および送信回路342をさらに含み得る。DLデータおよび制御チャネル生成および送信回路342は、リソース割当ておよびサブフレーム制御回路341と協動して、DLデータおよび/または制御情報をスケジュールし、DLデータおよび/または制御情報をDLデータおよび/または制御情報に割り当てられたリソースに従って、リソース割当ておよびサブフレーム制御回路341によって生成された1つまたは複数のサブフレーム内で時分割複信(TDD)キャリアに入れることができる。DLデータおよび制御チャネル生成および送信回路342は、DLデータおよび制御チャネル生成および送信ソフトウェア352とさらに協働することができる。
【００４１】
プロセッサ304は、1つまたは複数の下位エンティティから、アップリンク制御チャネルおよびアップリンクデータチャネルを受信および処理するように構成されたアップリンク(UL)データおよび制御チャネル受信および処理回路343をさらに含むことができる。いくつかの例では、ULデータおよび制御チャネル受信および処理回路343は、1つまたは複数の下位エンティティからスケジューリング要求を受信するように構成可能であり、スケジューリング要求は、アップリンクユーザデータ送信のために時間周波数リソースの認可を要求するように構成される。他の例では、ULデータおよび制御チャネル受信および処理回路343は、1つまたは複数の下位エンティティから応答情報(たとえば、肯定応答/否定応答パケット)を受信および処理するように構成され得る。ULデータおよび制御チャネル受信および処理回路343は、リソース割当ておよびサブフレーム制御回路341と協動して、受信されたUL制御チャネル情報に従って、ULデータ送信、DLデータ送信、および/またはDLデータ再送信をスケジュールすることができる。ULデータおよび制御チャネル受信および処理回路343は、ULデータおよび制御チャネル受信および処理ソフトウェア353とさらに協働することができる。
【００４２】
プロセッサ304は、TDDキャリアのために1つまたは複数のサブフレームを生成する際に、リソース割当ておよびサブフレーム制御回路341によって使用するためのサブフレーム構造を提供するように構成されたサブフレーム構成回路344をさらに含み得る。本開示の態様によれば、サブフレーム構成回路344は、制御情報、データ情報、および応答情報が単一のTDDサブフレーム内に自己完結型TDDサブフレーム構造を提供するように構成され得る。すなわち、制御/スケジューリング情報は、サブフレーム内のデータパケットのすべてに対する制御/スケジューリングを提供し、応答情報は、サブフレーム内のデータパケットのすべてに関する肯定応答/否定応答(ACK/NACK)信号を含む。したがって、自己完結型サブフレーム構造は、アップリンク方向とダウンリンク方向の両方の送信を含み得る。
【００４３】
いくつかの例では、自己完結型TDDサブフレーム構造は、DL制御(スケジューリング)情報と、スケジューリング情報に対応するDLデータ情報と、データ情報に対応するUL応答情報とを含む。他の例では、自己完結型サブフレーム構造は、DL制御(スケジューリング)情報と、スケジューリング情報に対応するULデータ情報と、データ情報に対応するDL応答情報とを含む。一態様では、サブフレーム構造は、各サブフレームの開始がネットワークにわたって位置合わせされる同期ネットワーク内の動作を可能にするために持続時間に固定され得る。しかしながら、本開示の様々な態様では、サブフレーム構造持続時間は、システム配備中に構成可能であってよく、また決定されてよく、かつ/またはシステムメッセージを通して更新されてよい。サブフレーム構成回路344は、サブフレーム構成ソフトウェア354と協働することができる。
【００４４】
例示的な動作において、サブフレーム構成回路344は、まず、現在サブフレームの持続時間を決定し、次いで、現在サブフレームが主にULデータ情報を含むべきか、または主にDLデータ情報を含むべきかを決定することによって、現在サブフレームに関するサブフレーム構造を提供することができる。サブフレーム構造回路344が、現在サブフレームは主にDLデータ情報を含むべきであると決定したとき、サブフレーム構成回路344は、DL制御(スケジューリング)部分と、DLデータ部分と、UL応答部分とを含む自己完結型サブフレーム構造を提供する。サブフレーム構成回路344が現在サブフレームは主にULデータ情報を含むべきであると決定したとき、サブフレーム構成回路344は、DL制御(スケジューリング)部分と、ULデータ部分と、DL応答部分とを含む自己完結型サブフレーム構造を提供する。サブフレーム構成回路344は、現在サブフレーム内でUL送信とDL送信との間の切替えポイント時間を決定することによって、現在サブフレームに関するサブフレーム構造をさらに提供することができる。一態様では、現在サブフレームに関するサブフレーム構造は、UL送信からDL送信に切り替えるための現在サブフレーム内の決定性時間を含み得る。たとえば、現在サブフレームがDLデータ部分を含むとき、下位エンティティからUL応答情報を含め始めるための切替えポイントはサブフレーム内であらかじめ決定され得る。
【００４５】
現在サブフレームに関するサブフレーム構造に基づいて、DLデータおよび制御チャネル生成および送信回路342は、メモリ305内に制御および/またはデータ情報を準備し、サブフレーム構成回路344によって提供されるサブフレーム構造に従って、送信のためにリソース割当ておよびサブフレーム制御回路341を介して制御および/またはデータ情報をスケジュールすることによって、現在サブフレームを生成することができる。DLデータおよび制御チャネル準備および送信回路342は、下記で説明するように、ULデータおよび制御受信および処理回路343とさらに協動して、現在サブフレームを生成することができる。
【００４６】
一態様では、サブフレーム構造がDLデータ部分を含むとき、DLデータおよび制御チャネル生成および送信回路342はDL制御(スケジューリング)情報を制御部分内に含め、DL制御情報に対応するDLデータ情報をサブフレームのデータ部分内に含めることができる。たとえば、DLデータおよび制御チャネル生成および送信回路342は、メモリ305内に制御(スケジューリング)情報を準備し、メモリ305からサブフレームのDL制御部分内に制御(スケジューリング)情報をロードすることによって、DL制御(スケジューリング)情報を含めることができ、メモリ305内にDLデータ情報を準備し、メモリ305からサブフレームのDLデータ部分内にDLデータ情報をロードすることによって、DLデータ情報をさらに含めることができる。制御(スケジューリング)情報は、新しいDLデータパケットおよび送信されたDLデータパケットに関する制御(スケジューリング)情報を含み得る。一例として、DLデータおよび制御チャネル生成および送信回路342は、メモリ305内にHARQ構成情報を準備し、メモリ305から現在フレームのDL制御部分内にHARQ構成情報をロードすることによって、再送信されたDLデータパケットに関する制御(スケジューリング)情報内でハイブリッド自動再送要求(HARQ)構成情報をさらに搬送することができる。ULデータおよび制御チャネル受信および処理回路343は、次いで、現在サブフレーム内の1つまたは複数の下位エンティティから送られたACK/NACKパケットを受信および処理することによって、応答情報を現在サブフレームの応答部分内に含めることができる。
【００４７】
サブフレーム構造がULデータ部分を含む一態様では、DLデータおよび制御チャネル生成および送信回路342は、メモリ305内にDL制御(スケジューリング)情報を準備し、メモリ305からDL制御部分内に制御(スケジューリング)情報をロードすることによって、DL制御(スケジューリング)情報を現在サブフレームの制御部分内に含めることができる。ULデータおよび制御チャネル受信および処理回路343は、次いで、1つまたは複数の下位エンティティから送られたULデータ情報を受信および処理することによって、ULデータ情報を現在サブフレームのデータ部分内に含めることができる。DLデータ制御チャネル生成および送信回路342は、次いで、メモリ305内に応答情報(ACK/NACKパケット)を準備し、メモリ305から現在サブフレームの応答部分内にACK/NACKパケットをロードすることによって、受信されたULデータ情報に対応する応答情報を含めることができる。
【００４８】
プロセッサ304は、ダウンリンク伝送に利用する変調およびコーディング方式(MCS)、ならびに/または、下位エンティティがアップリンク伝送に利用するMCSを決定するために構成された変調およびコーディング構成回路345をさらに含む場合がある。変調およびコーディング構成回路345は、変調およびコーディング構成ソフトウェア357と協働することができる。
【００４９】
処理システム内の1つまたは複数のプロセッサ304は、ソフトウェアを実行する場合がある。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、関数などを意味するように広く解釈されるべきである。ソフトウェアは、コンピュータ可読媒体306上に存在する場合がある。コンピュータ可読媒体306は、非一時的コンピュータ可読媒体であり得る。非一時的コンピュータ可読媒体は、例として、磁気ストレージデバイス(たとえば、ハードディスク、フロッピーディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびにコンピュータによってアクセスされ読み取られ得るソフトウェアおよび/または命令を記憶するための任意の他の適切な媒体を含む。コンピュータ可読媒体は、例として、搬送波、伝送路、および、コンピュータによってアクセスされ読み取られ得るソフトウェアおよび/または命令を送信するための任意の他の適切な媒体を含むこともできる。コンピュータ可読媒体306は、処理システム314内に存在するか、処理システム314の外部にあるか、または処理システム314を含む複数のエンティティにわたって分散する場合がある。コンピュータ可読媒体306は、コンピュータプログラム製品内に具現することができる。例として、コンピュータプログラム製品は、パッケージング材料の中のコンピュータ可読媒体を含むことができる。当業者であれば、特定の用途およびシステム全体に課せられた全体的な設計制約に応じて、本開示を通じて提示される、説明する機能をどのように実施するのが最良であるかを認識するであろう。
【００５０】
図4は、例示的な下位エンティティ204が処理システム414を採用するためのハードウェア実装形態の一例を示す概念図である。本開示の様々な態様によれば、要素、もしくは要素の任意の一部分、または要素の任意の組合せは、1つまたは複数のプロセッサ404を含む処理システム414を用いて実装され得る。
【００５１】
処理システム414は、図3に示した処理システム314と実質的に同じとすることができ、バスインターフェース408と、バス402と、メモリ405と、プロセッサ404と、コンピュータ可読媒体406とを含む。さらに、下位エンティティ204は、図3において上述されたものと実質的に同様のユーザインターフェース412とトランシーバ410とを含む場合がある。下位エンティティ204内で利用されるようなプロセッサ404は、以下で説明するプロセスのうちのいずれか1つまたは複数を実装するために使用され得る。
【００５２】
本開示のいくつかの態様では、プロセッサ404は、ULデータチャネル上でアップリンクデータを生成および送信し、UL制御チャネル上でアップリンク制御/フィードバック/応答情報を生成および送信するように構成された、アップリンク(UL)データおよび制御チャネル生成および送信回路442を含む場合がある。ULデータおよび制御チャネル生成および送信回路442は、ULデータおよび制御チャネル生成および送信ソフトウェア452と協働することができる。プロセッサ404は、データチャネル上でダウンリンクデータを受信および処理し、1つまたは複数のダウンリンク制御チャネル上で制御情報を受信および処理するように構成された、ダウンリンク(DL)データおよび制御チャネル受信および処理回路444をさらに含む場合がある。いくつかの例では、受信されたダウンリンクデータおよび/または制御情報は、メモリ405内のデータバッファ内に一時的に記憶することができる。DLデータおよび制御チャネル生成および送信回路444は、DLデータおよび制御チャネル生成および送信ソフトウェア454と協動することができる。
【００５３】
プロセッサ404は、1つまたは複数のサブフレームに関するサブフレーム構造およびサブフレーム持続時間を決定するように構成されたサブフレーム構成決定回路446をさらに含み得る。たとえば、現在サブフレームに関するサブフレーム構造は、前サブフレームのDL制御部分内でスケジューリングエンティティから受信された構造情報に基づいて決定され得る。サブフレーム構成決定回路446は、サブフレーム構成決定ソフトウェア456と協動することができる。
【００５４】
ある例示的な動作において、サブフレーム構成決定回路は、(たとえば、前サブフレームのDL制御部分内で受信されたサブフレーム構造情報に基づいて)スケジューリングエンティティによって識別されたサブフレーム構造を決定することによって、現在サブフレームに関するサブフレーム構造を提供することができる。サブフレーム構成決定回路446によって決定されたような現在サブフレームに関するサブフレーム構造に基づいて、ULデータおよび制御チャネル生成および送信回路442は、サブフレーム構造に従って送信のためにメモリ405内に制御および/またはデータ情報を準備することができる。一態様では、サブフレーム構造がDLデータ部分を含むとき、DLデータおよび制御チャネル受信および処理回路444は、スケジューリングエンティティからの現在サブフレームの制御部分内に含まれたDL制御情報と、スケジューリングエンティティからの現在サブフレームのデータ部分内に含まれたDLデータ情報とを受信および処理することができる。ULデータおよび制御チャネル生成および送信回路442は、次いで、メモリ405内に応答情報(ACK/NACKパケット)を準備し、メモリ405から現在サブフレームの応答部分内にACK/NACKパケットをロードすることによって、受信されたULデータ情報に対応する応答情報を含めることができる。
【００５５】
サブフレーム構造がULデータ部分を含む一態様では、DLデータおよび制御チャネル受信および処理回路444は、サブフレームの制御部分内に含まれたDL制御情報を受信および処理することができる。ULデータおよび制御チャネル生成および送信回路442は、次いで、メモリ405内にUL制御および/またはデータ情報を準備し、メモリ405から現在サブフレームのデータ部分内にUL制御および/またはデータ情報をロードすることによって、UL制御および/またはデータ情報を現在サブフレームのデータ部分内に含めることができる。DLデータおよび制御チャネル受信および処理回路444は、次いで、現在サブフレームの応答部分内で送信されたULデータパケットに対応する応答情報(ACK/NACKパケット)を受信および処理することができる。
【００５６】
図5は、自己完結型TDDサブフレーム500の例示的な構造を示す。自己完結型サブフレーム500は、固定持続時間(t)を有してよいが、ネットワーク配備中に構成可能であってよく、また決定されてよく、かつ/またはシステムメッセージを通して更新されてよい。一例では、自己完結型サブフレーム500の持続時間は500μsであってよい。当然、本開示の範囲内で、任意の適切なサブフレーム持続時間が利用され得る。
【００５７】
図5に示す自己完結型サブフレーム構造は、本明細書において、ダウンリンクTTIサブフレームまたはDL中心サブフレーム500と呼ばれる送信機スケジュールサブフレーム(transmitter-scheduled subframe)である。DL中心サブフレーム500を使用して、制御情報およびデータ情報を、たとえば、UEであってよい、1つまたは複数の下位エンティティに搬送すること、また、同じサブフレーム内の1つまたは複数の下位エンティティから応答情報を受信することができる。したがって、各DL中心サブフレームは、DL送信とUL送信の両方を含み、時間(t)に対してDL送信とUL送信とに分割され得る。
【００５８】
図5に示す例では、DL送信部分は制御部分502とデータ部分504とを含み、UL送信部分は応答(ACK/NACK)部分508を含む。したがって、図5のサブフレーム構造内で、スケジューリングエンティティは、まず、制御/スケジューリング情報を制御部分502内で送信する機会を有し、次いで、データをDLデータ部分504内で送信する機会を有する。ガード期間(GP)部分506に続いて、スケジューリングエンティティは、キャリアを使用して下位エンティティから肯定応答された(ACK)/否定応答された(NACK)信号(ACK/NACKパケット)を受信する機会を有する。このフレーム構造はダウンリンク中心であるが、これは、アップリンク方向の送信(たとえば、下位エンティティからの送信)に対してよりも、ダウンリンク方向の送信(たとえば、スケジューリングエンティティからの送信)のためにより多くのリソースが割り振られるためである。
【００５９】
一例では、制御情報部分502を使用して、1つまたは複数の下位エンティティ向けのデータパケットの時間周波数割当てを示す物理ダウンリンク制御チャネル(PDCCH)を送信することができ、DLデータ部分504を使用して、割り当てられた時間周波数スロット内の1つまたは複数の下位エンティティ向けのデータパケットを含むデータペイロードを送信することができる。したがって、サブフレーム500のデータ部分504内でデータを受信することになる各下位エンティティは、下位エンティティが正確なダウンリンクデータパケットを受信および処理することができるように、サブフレーム500の制御部分502内でそれぞれアドレス指定されてよい。したがって、サブフレーム500内で送信されるデータパケットのすべては、同じサブフレーム500の制御情報部分502内のスケジューリング情報に従ってスケジュールされ得る。GP部分506に続いて、スケジューリングエンティティは、データパケットが成功裏に受信されたかどうかを示すために、データ部分504中にデータパケットを受信した各下位エンティティからACL/NACK部分508中にACK信号(または、NACK信号)を受信することができる。したがって、サブフレーム500内で送信されたデータパケットのすべては、同じサブフレーム500内で肯定応答/否定応答され得る。
【００６０】
他の例では、制御部分502を使用して、チャネル状態情報基準信号(CSI-RS)など、他のダウンリンク制御チャネルおよび/または他のダウンリンクパイロットを送信することができる。これらの追加のダウンリンクチャネルおよび/またはパイロットは、任意の他のダウンリンク制御情報とともに、制御部分502内でPDCCHとともに送信され得る。大まかに、DL方向の任意の適切な送信は、制御部分502内で、上記で説明した制御情報を補足して行われ得る。さらに、ACK/NACK部分508は、物理リンク制御チャネル(PUCCH)、ランダムアクセスチャネル(RACH)、スケジューリング要求(SR)、サウンディング基準信号(SRS)、チャネル品質インジケータ(CQI)、チャネル状態フィードバック情報およびバッファ状態など、他のアップリンク制御チャネルおよび情報の送信のために使用されてもよい。大まかに、UL方向の任意の適切な送信は、ACK/NACK部分508内で、上記で説明したACK/NACKおよび他の情報を補足して行われ得る。
【００６１】
一態様では、データ部分504は、サブフレーム500内の下位エンティティのセット(すなわち、2つ以上の下位エンティティ)に対してDLデータ送信を多重化するために使用され得る。たとえば、スケジューリングエンティティは、時分割多重化(TDM)、周波数分割多重化(FDM)(すなわち、OFDM)、符号分割多重化(CDM)、および/または当業者に知られている任意の適切な多重化方式を使用して、下位エンティティのセットに対してダウンリンクデータを多重化することができる。したがって、DLデータ部分504は、複数のユーザに関するデータを高次のマルチユーザMIMOまで含み得る。さらに、制御部分502およびACK/NACK部分508を使用して、TDM、FDM、CDM、および/または他の適切な方法で、下位エンティティのセット間で制御情報を多重化することもできる。
【００６２】
GP部分506は、ULおよびDLのタイミングの変動に適応するようにスケジュールされ得る。たとえば、(たとえば、DLからULへの)RFアンテナ方向切替えおよびRF設定(たとえば、位相ロックループの設定、フィルタ、および電力増幅器)によるレイテンシは、送信経路レイテンシとともに、下位エンティティにDLタイミングと一致するように、UL上で早期に送信させる場合がある。そのような早期送信はスケジューリングエンティティから受信されるシンボルに干渉する場合がある。したがって、GP部分506は、DLデータ部分504の後の時間量が干渉を防ぐことを可能にすることができ、その場合、GP部分506は、スケジューリングエンティティが、オーバージエア(OTA)のために、そのRFアンテナ方向を切り替えるための適切な時間量、および下位エンティティによるACK処理のための時間を提供することができる。GP部分506は、下位エンティティが、データペイロードを処理するために、かつオーバージエア(OTA)送信時間のために、(たとえば、DLからULへの)そのRFアンテナ方向を切り替えるための適切な時間量をさらに提供することができる。
【００６３】
GP部分506の持続時間は、たとえば、セルサイズおよび/または処理時間要件に基づいて構成可能であり得る。たとえば、GP部分506は、1つのシンボル期間(たとえば、31.25μs)の持続時間を有し得る。しかしながら、本開示の態様によれば、DL送信からUL送信への切替え点はネットワークを通して決定性であり得る。したがって、GP部分506の始点は可変かつ構成可能であり得るが、DL送信からUL送信への切替え点に対応するGP部分506の終点は、DL送信とUL送信との間の干渉を管理するためにネットワークによって固定され得る。一態様では、切替え点は、半静的な方法でネットワークによって更新され、PDCCH内に示されてよい。さらに、GP部分506のGP持続時間および/または始点もPDCCH内に示されてよい。
【００６４】
無許可スペクトルを利用するネットワークにおいて、切替え点は、様々なセルに共通の決定性ロケーションにおいて維持され得る。送信されるデータ量がデータ部分504に割り振られたデータ量未満であるシナリオでは、TDDキャリアに対するアクセスを失うことを回避するために、周波数帯域の一部分だけを占有するように送信を拡張すること、または送信をパイロットまたは他のフィルタシンボルで充填することのいずれかによってサブフレーム500のデータ部分504を充填することができる。
【００６５】
図6は、2つの連続的なDL中心サブフレーム601および603を示す。各サブフレーム601および603は、図5に示したサブフレーム構造と同じサブフレーム構造を有する。たとえば、サブフレーム601は、DL制御部分602と、続いてDLデータ部分604と、ガード期間(GP)606と、UL ACK/NACK部分608とを含む。同様に、サブフレーム603は、DL制御部分610と、DLデータ部分612と、GP614と、UL ACK/NACK部分616とを含む。
【００６６】
一例では、制御情報は、第1のDL中心サブフレーム601の制御部分602内でスケジューリングエンティティによって送信されてよく、制御情報に対応するデータ情報は、第1のDL中心サブフレーム601のデータ部分604内でスケジューリングエンティティによって送信されてよく、データ情報に対応する応答情報は、第1のDL中心サブフレーム601のACK/NACK部分608内で下位エンティティからスケジューリングエンティティによって受信されてよい。本開示の態様によれば、データ部分604内のデータパケットのすべては、ACK/NACK部分608内で、すなわち、次のスケジューリングインスタンスに先立って、肯定応答されてもまたは否定応答されてもよい。ここで、次のスケジューリングインスタンスは、サブフレーム603の制御部分610内でスケジュールされるべき、下位サブフレーム603のデータ部分612内のさらなるデータパケットのスケジューリングを指す。
【００６７】
第1のDL中心サブフレーム601のACK/NACK部分608内で受信されたACK/NACK情報に基づいて、スケジューリングエンティティは、次の(第2の)DL中心サブフレーム603の制御部分610に関する制御情報を生成することができる。たとえば、ACK/NACK情報がNACK信号を含む場合、第1のDL中心サブフレーム601のデータ部分604内で送信されるデータ情報のコーディングされたビットの少なくとも一部は、第2のDL中心サブフレーム603のデータ部分612内で(たとえば、下記でさらに説明する、インクリメンタル冗長HARQアルゴリズムで)送信され得る。したがって、本開示の態様によれば、第1のDL中心サブフレーム601内で送信されたデータパケットのすべては、スケジューリングエンティティが、第1のDL中心サブフレーム601内のACK/NACK情報に基づいて、第2のDL中心サブフレーム603に関する制御情報を生成することを可能にするために、次の(第2の)DL中心サブフレーム603に先立って肯定応答/否定応答される。
【００６８】
本開示の例示的な態様では、不正確に受信されたデータを再送信するために、ハイブリット自動再送要求(HARQ)再送信方式が使用される。したがって、第2のDL中心サブフレーム603の制御部分610内の制御情報(PDCCH)は、第2のDL中心サブフレーム603のデータ部分612内で生じているデータ再送信に対するサポートを提供するために、HARQ識別子、冗長バージョンなど、HARQ関連構成情報をさらに搬送することができる。たとえば、制御情報は、データ部分内に含まれたデータパケットがHARQ再送信であるか否かを示すように構成され得る。
【００６９】
図6に示す自己完結型サブフレーム構造は、合理的なHARQPバッファコストで極端な帯域幅事例における高データレートを可能にするために物理レイヤにおける単一のHARQインターレース処理をサポートする。物理レイヤにおけるACKおよび再送信レイテンシを低減するか、または最小限に抑えることによって、自己完結型サブフレーム構造は終端間レイテンシをさらに低減するか、または最小限に抑える。
【００７０】
図7は、自己完結型TDDサブフレーム700の別の例示的な構造を示す。図7に示す自己完結型サブフレーム構造は、本明細書において、アップリンクTTIサブフレームまたはUL中心サブフレーム700と呼ばれる受信機スケジュールサブフレーム(receiver-scheduled subframe)である。UL中心サブフレーム700は、スケジューリングエンティティからダウンリンク制御情報を受信し、アップリンクデータをスケジューリングエンティティに送信し、スケジューリングエンティティから送信されたデータに関するダウンリンクACK/NACK信号を受信するために使用され得る。したがって、各UL中心サブフレーム700は、DL送信とUL送信の両方を含み、時間(t)に対してDL送信とUL送信とに分割され得る。
【００７１】
図7に示す例では、DL送信部分は制御部分702と、応答部分708とを含み、UL送信部分はデータ部分706を含む。したがって、図7に示すUL中心サブフレー構造内で、下位エンティティはまず、制御情報を制御部分702内で受信する機会を有する。GP部分704に続いて、下位エンティティは、データをULデータ部分706内で送信し、応答情報(たとえば、ACK/NACK信号)をACK/NACK部分708内で受信する機会を有する。このフレーム構造はアップリンク中心であるが、これは、ダウンリンク方向の送信(たとえば、スケジューリングエンティティからの送信)に対してよりも、アップリンク方向の送信(たとえば、下位エンティティからの送信)のためにより多くのリソースが割り振られるためである。
【００７２】
一例では、制御情報部分702を使用して、1つまたは複数の下位エンティティによって送信されるべきデータパケットの時間周波数割当てを示す物理ダウンリンク制御チャネル(PDCCH)を送信することができ、データ部分706を下位エンティティによって使用して、そのデータパケットを割り当てられた時間周波数スロット内でスケジューリングエンティティに送信することができる。データ部分706内でデータを送信した各下位エンティティは、次いで、データパケットがスケジューリングエンティティにおいて成功裏に受信されたかどうかを示すために、スケジューリングエンティティからACK/NACK部分708中にACK信号(または、NACK信号)を受信することができる。したがって、サブフレーム700内で送信されたデータパケットのすべては、同じサブフレーム700内で肯定応答/否定応答され得る。
【００７３】
他の例では、制御部分702および/またはACK/NACK部分708を使用して、他のダウンリンク制御チャネルおよび情報ならびに/またはデータを他のレイヤから送信することができる。さらに、データ部分706を使用して、アップリンク制御チャネルおよび情報を送信することもできる。たとえば、サブフレーム700の制御部分702は、前のサブフレームからのアプリケーションレイヤ(または、物理レイヤ以外のレイヤ)ACKなど、下位エンティティに対するデータ送信(たとえば、データの小さいペイロード)を搬送することができる。下位エンティティは、次いで、同じサブフレーム700のデータ部分706内でデータ送信に応答することができる。
【００７４】
一態様では、ULデータ部分706を使用して、1つまたは複数のTDMA、FDMA、CDMA、または任意の他の適切な多元接続方式を使用して、サブフレーム500内の下位エンティティのセット(すなわち、2つ以上の下位エンティティ)からデータ送信を搬送することができる。したがって、ULデータ部分706は、複数のユーザからのパケットを高次のマルチユーザMIMOまで含み得る。さらに、制御部分702およびACK/NACK部分708を使用して、TDMA、FDMA、CDMA、または他の適切な多元接続方法で、制御情報を下位エンティティのセットに搬送することもできる。
【００７５】
図8は、自己完結型TDDサブフレーム800の別の例示的な構造を示す。図8に示す例では、UL中心サブフレーム800は2つのGP部分804および808を含み得る。各GP部分804および808はDL送信からUL送信を分離して、スケジューリングエンティティおよび下位エンティティがそのRFアンテナ方向を切り替えるための適切な時間量を提供する。したがって、図8に示すUL中心サブフレーム構造内で、下位エンティティはまず、制御情報を制御部分802内で受信する機会を有する。第1のGP部分804に続き、下位エンティティはデータをULデータ部分806内で送信する機会を有する。第2のGP部分808に続き、下位エンティティは、その後、TDDキャリアを使用してスケジューリングエンティティからのACK/NACK信号をACK/NACK部分810内で受信する機会を有する。
【００７６】
各GP部分804および808の持続時間は、たとえば、セルサイズおよび/または処理時間要件に基づいて構成可能であり得る。一態様では、GP部分804および808の結合された持続時間は、実質的に、図7に示した、単一のGP部分704の持続時間に等しい。別の態様では、GP部分804の持続時間は、GP部分808の持続時間と等しくてよく、または異なってもよい。さらに、本開示の態様によれば、DL送信からUL送信への、およびUL送信からDL送信への切替え点はネットワークを通して決定性であり得る。したがって、各GP部分804および808の始点は可変かつ構成可能であり得るが、DL/UL送信間の切替え点に対応する各GP部分804および808の終点は、DL送信とUL送信との間の干渉を管理するためにネットワークによって固定され得る。
【００７７】
図9は、各々がTDD自己完結型サブフレーム構造を有する、TDD自己完結型サブフレーム902、904、906、908、および910の連続シーケンス900の一例を示す。第1の3つのサブフレーム902、904、および906は、各々が、たとえば、図5に示したサブフレーム構造を有するDL中心サブフレームである。第3のDL中心サブフレーム906に続くのは、たとえば、図7または図8に示したサブフレーム構造を有し得るUL中心サブフレーム908である。追加のDL中心サブフレーム910がUL中心サブフレームに続く。シーケンス900は、ダウンリンクデータ送信アプリケーション用の高データレートを取得するための十分なリソースを提供するために、UL中心サブフレームよりも多いDL中心サブフレームを含む。他の例では、UL中心サブフレームおよびDL中心サブフレームは交番してよく、またはサブフレームの特定のシーケンス内により大きい数のUL中心サブフレームを提供することができる。
【００７８】
図5〜図8に示したようなTDD自己完結型サブフレーム構造を利用することによって、そのサブフレーム内で送信されるすべてのデータ情報に関して同じサブフレーム内で、ACK/NACKなど、フィードバックの送信のためのリソースを利用可能にすることができる。このようにして、このサブフレーム構造を利用するデバイスは、後続のサブフレーム内のパケットを待つ必要がなく、またはそのパケットに依存する必要もない。すなわち、それに応じて、サブフレームは個別ユニットと見なされ得る。
【００７９】
サブフレームは、依存しない、すなわち個別と見なされ得るため、エアインターフェースリソースの管理においてさらなるフレキシビリティを提供することができる。たとえば、任意の所与の時点で、任意の所与のサブフレームの終点においてチャネルを容易に修正して、たとえば、データパケットに前サブフレーム内で送信されたデータパケットに対応するACK/NACKパケットを待機させるという点で、実質的な問題を引き起こさずに、TDDキャリアを利用した通信を一時停止または終了し、同じスペクトルリソース上の他の通信を挿入することができる。一例では、サブフレーム送信同士の間のギャップを作成して、D2D、メッシュ、または非後方支援技法を含めて、スペクトル上の異なるタイプのトラフィックの多重化を可能にすることができる。
【００８０】
当然、自己完結型サブフレーム構造のこれらの例は、本発明のいくつかの概念を例示するために与えられるにすぎない。これらは本質的に例示にすぎず、他の例が本開示の範囲内に収まり得ることが当業者には把握されよう。
【００８１】
図10は、ワイヤレス通信の方法のフローチャート1000である。この方法は、上記で説明し、図2に示したスケジューリングエンティティ202によって、プロセッサもしくは処理システムによって、または説明した機能を実行するための任意の適切な手段によって実行され得る。
【００８２】
ブロック1002において、スケジューリングエンティティは、制御部分と、データ部分と、応答部分とを含む、TDDキャリアに関する自己完結型サブフレーム構造を提供することができる。たとえば、図5〜図8を参照すると、自己完結型サブフレーム構造は、DL中心サブフレームまたはUL中心サブフレームであってよく、その場合、制御情報、制御情報に対応するデータ情報、およびデータ情報に対応する応答情報が単一のTDDサブフレーム内に含まれる。
【００８３】
ブロック1004において、スケジューリングエンティティは、自己完結型サブフレーム構造を有するサブフレームを生成し、制御情報をサブフレームの制御部分内に含める。DL中心サブフレームの場合、制御情報は、スケジューリングエンティティから下位エンティティのセットに対するデータ送信のための時間周波数リソース割当てを示すPDCCHを含み得る。UL中心サブフレームの場合、制御情報は、下位エンティティのセットからスケジューリングエンティティに対するデータ送信のための時間周波数リソース割当てを示すPDCCHを含み得る。さらに、他のダウンリンク制御情報も制御部分内に含まれてよい。
【００８４】
ブロック1006において、制御情報に対応するデータ情報がサブフレームのデータ部分内に含まれる。たとえば、DL中心サブフレーム内で、データ情報は、ダウンリンクデータチャネル上で多重化された、下位エンティティのセットに送信されたデータパケットを含み得る。UL中心サブフレーム内で、データ情報は、多元接続方式を利用してアップリンクデータチャネル上に結合された下位エンティティのセットから送信されたデータパケットを含み得る。
【００８５】
ブロック1008において、データ情報に対応する応答情報がサブフレームの応答部分内に含まれる。たとえば、DL中心サブフレーム内で、サブフレームのデータ部分内でデータを受信した各下位エンティティからのACK/NACKメッセージは、下位エンティティがダウンリンクデータを正確に受信したかどうかを示すために、サブフレームの応答部分内に含まれ得る。UL中心サブフレーム内で、応答情報は、スケジューリングエンティティがアップリンクデータを正確に受信したかどうかを示すために、サブフレームのデータ部分内でデータを送信した下位エンティティの各々に対するそれぞれのACK/NACKメッセージを含み得る。
【００８６】
図11は、ワイヤレス通信の方法のフローチャート1100である。この方法は、上記で説明し、図2に示した下位エンティティ204によって、プロセッサもしくは処理システムによって、または説明した機能を実行するための任意の適切な手段によって実行され得る。
【００８７】
ブロック1102において、下位エンティティは、制御部分と、データ部分と、応答部分とを含む、現在サブフレームに関する自己完結型サブフレーム構造を提供することができる。たとえば、図5〜図8を参照すると、自己完結型サブフレーム構造は、DL中心サブフレームまたはUL中心サブフレームであってよく、その場合、制御情報、制御情報に対応するデータ情報、およびデータ情報に対応する応答情報が単一のTDDサブフレーム内に含まれる。
【００８８】
ブロック1104において、下位エンティティは、制御情報をサブフレームの制御情報内で受信する。DL中心サブフレームの場合、制御情報は、スケジューリングエンティティから下位エンティティに対するデータ送信のための時間周波数リソース割当てを示すPDCCHを含み得る。UL中心サブフレームの場合、制御情報は、下位エンティティからスケジューリングエンティティに対するデータ送信のための時間周波数割当てを示すPDCCHを含み得る。さらに、他のダウンリンク制御情報も制御部分内に含まれてよい。
【００８９】
ブロック1106において、制御情報に対応するデータ情報がサブフレームのデータ部分内に含まれる。たとえば、DL中心サブフレーム内で、データ情報は、ダウンリンクデータチャネル上で下位エンティティに送信されたデータパケットを含み得る。UL中心サブフレーム内で、データ情報は、アップリンクデータチャネル上で下位エンティティから送信されたデータパケットを含み得る。
【００９０】
ブロック1108において、データ情報に対応する応答情報がサブフレームの応答部分内に含まれる。たとえば、DL中心サブフレーム内で、下位エンティティからのACK/NACKメッセージは、下位エンティティがダウンリンクデータを正確に受信したかどうかを示すために、サブフレームの応答部分内に含まれ得る。UL中心サブフレーム内で、応答情報は、スケジューリングエンティティがアップリンクデータを正確に受信したかどうかを示すために、下位エンティティに対するACK/NACKメッセージを含み得る。
【００９１】
当業者が容易に理解するように、本開示全体にわたって説明した種々の態様は、任意の適切な電気通信システム、ネットワークアーキテクチャ、および通信標準規格に拡張することができる。例として、種々の態様は、W-CDMA、TD-SCDMA、およびTD-CDMAなどのUMTSシステムに適用することができる。また、種々の態様は、(FDD、TDD、または両方のモードの)ロングタームエボリューション(LTE)、(FDD、TDD、または両方のモードの)LTEアドバンスト(LTE-A)、CDMA2000、エボリューションデータオプティマイズド(EV-DO)、ウルトラモバイルブロードバンド(UMB)、IEEE 802.11(Wi-Fi)、IEEE 802.16(WiMAX)、IEEE 802.20、ウルトラワイドバンド(UWB)、Bluetooth(登録商標)、および/または、まだ規定されていないワイドエリアネットワーク標準規格によって記述されるシステムを含む他の適切なシステムを利用するシステムに適用することができる。使用される実際の電気通信標準規格、ネットワークアーキテクチャ、および/または通信標準規格は、具体的なアプリケーションと、システムに課される全体的な設計制約とによって決まる。
【００９２】
本開示内で、「例示的」という言葉は、「例、事例、または例示としての役割を果たすこと」を意味するために使用される。「例示的」として本明細書で説明した任意の実装形態または態様は、必ずしも本開示の他の態様よりも好ましいか、または有利であると解釈されるべきではない。同様に、「態様」という用語は、本開示のすべての態様が、論じられる特徴、利点、または動作モードを含むことを必要としない。「結合された」という用語は、本明細書では、2つの物体間の直接または間接的な結合を指すために使用されている。たとえば、物体Aが物体Bに物理的に接触し、物体Bが物体Cに接触する場合、物体AおよびCは、それらが互いに直接物理的に接触しない場合であっても、依然として互いに結合されると考えることができる。たとえば、第1のダイがパッケージ内の第2のダイに物理的に直接接触していなくても、第1のダイは、第2のダイに結合される場合がある。「回路(circuit)」および「回路(circuitry)」という用語は広範に使用され、電子回路のタイプに関して制限することなく、接続および構成されるときに本開示で説明した機能を実行できるようにする電気デバイスおよび導体のハードウェア実装形態、ならびにプロセッサによって実行されるときに本開示で説明した機能を実行できるようにする情報および命令のソフトウェア実装形態の両方を含むことを意図している。
【００９３】
図1〜図10に示した構成要素、ステップ、特徴、および/または機能のうちの1つまたは複数は、単一の構成要素、ステップ、特徴、もしくは機能に再構成され、および/もしくは組み合わされる場合があるか、または、いくつかの構成要素、ステップ、または機能において具現される場合がある。また、本明細書で開示した新規の特徴から逸脱することなく、さらなる要素、構成要素、ステップ、および/または機能が追加される場合がある。図1〜図10に示される装置、デバイス、および/または構成要素は、本明細書で説明した方法、特徴、またはステップのうちの1つまたは複数を実行するように構成することができる。また、本明細書で説明した新規のアルゴリズムは、ソフトウェアで効率的に実施される場合があり、および/またはハードウェアに埋め込まれる場合がある。
【００９４】
開示される方法におけるステップの特定の順序または階層が、例示的なプロセスの例示であることを理解されたい。設計の選好に基づいて、この方法におけるステップの具体的な順序または階層が再構成されてもよいことを理解されたい。添付の方法請求項は、サンプルの順序において様々なステップの要素を提示し、その中で特に具陳されない限り、提示される特定の順序または階層に限定されることは意図されていない。
【００９５】
上記の説明は、本明細書で説明し様々な態様を任意の当業者が実践することを可能にするために提供される。これらの態様への様々な変更が当業者には容易に明らかになり、本明細書で定義した一般原理は他の態様に適用され得る。したがって、特許請求の範囲は本明細書で示した態様に限定されるものではなく、特許請求の範囲の文言と一致する最大限の範囲を与えられるべきであり、単数形の要素への言及は、「唯一の」と明記されていない限り、「唯一の」ではなく、「1つまたは複数の」を意味することを意図している。別段に明記されていない限り、「いくつか(some)」という用語は、1つまたは複数を指す。項目のリストのうちの「少なくとも1つ」を指す句は、単一のメンバーを含むそれらの項目の任意の組合せを指す。一例として、「a、b、またはcのうちの少なくとも1つ」は、a;b;c;aおよびb;aおよびc;bおよびc;ならびにa、b、およびcを包含するものとする。当業者に周知であり、または後に当業者に知られることになる、本開示全体にわたって説明した種々の態様の要素に対するすべての構造的および機能的均等物が、参照によって本明細書に明白に組み込まれ、特許請求の範囲によって包含されるものとする。さらに、本明細書で開示したものは、そのような開示が特許請求の範囲において明示的に列挙されているか否かにかかわらず、公に供されることは意図していない。請求項のいかなる要素も、「のための手段」という句を使用して要素が明示的に列挙されていない限り、または方法クレームの場合、「のためのステップ」という句を使用して要素が列挙されていない限り、米国特許法第112条(f)項の規定の下で解釈されるべきではない。
【符号の説明】
【００９６】
100  ネットワーク
102  セルラー領域、セル
104  スケジューリングエンティティ、マクロスケジューリングエンティティ
106  ユーザ機器(UE)
108  スケジューリングエンティティ、低電力クラススケジューリングエンティティ
110  セルラー領域、セル
202  スケジューリングエンティティ
204  下位エンティティ
206  ダウンリンクデータチャネル
208  ダウンリンク制御チャネル
210  アップリンクデータチャネル
212  アップリンク制御チャネル
302  バス
304  プロセッサ
305  メモリ
306  コンピュータ可読媒体
308  バスインターフェース
310  トランシーバ
312  ユーザインターフェース
314  処理システム
341  リソース割当ておよびサブフレーム制御回路
342  ダウンリンク(DL)データおよび制御チャネル生成および送信回路
343  アップリンク(UL)データおよび制御チャネル受信および処理回路
344  サブフレーム構成回路
345  変調およびコーディング構成回路
351  リソース割当ておよびサブフレーム制御ソフトウェア
352  データおよび制御チャネル生成および送信ソフトウェア
353  ULデータおよび制御チャネル受信および処理ソフトウェア
354  サブフレーム構成ソフトウェア
357  変調およびコーディング構成ソフトウェア
402  バス
404  プロセッサ
405  メモリ
406  コンピュータ可読媒体
408  バスインターフェース
410  トランシーバ
412  ユーザインターフェース
414  処理システム
442  ULデータおよび制御チャネル生成および送信回路
444  ダウンリンク(DL)データおよび制御チャネル受信および処理回路
446  サブフレーム構成決定回路
452  ULデータおよび制御チャネル生成および送信ソフトウェア
454  DLデータおよび制御チャネル生成および送信ソフトウェア
456  サブフレーム構成決定ソフトウェア
500  自己完結型TDDサブフレーム、ダウンリンクTTIサブフレームまたはDL中心サブフレーム、サブフレーム
502  制御部分、制御情報部分
504  データ部分
506  ガード期間(GP)部分
508  応答(ACK/NACK)部分
601  DL中心サブフレーム、サブフレーム、第1のDL中心サブフレーム
602  DL制御部分
603  DL中心サブフレーム、サブフレーム、下位サブフレーム、次の(第2の)DL中心サブフレーム
604  DLデータ部分
606  ガード期間(GP)
608  UL ACK/NACK部分、ACK/NACK部分
610  DL制御部分
612  DLデータ部分
614  GP
616  UL ACK/NACK部分
700  サブフレーム
702  制御部分、制御情報部分
704  GP部分
706  データ部分
708  応答部分、ACK/NACK部分
800  自己完結型TDDサブフレーム、UL中心サブフレーム
802  制御部分
804  GP部分、第1のGP部分
806  ULデータ部分
808  GP部分、第2のGP部分
810  ACK/NACK部分
900  連続シーケンス、シーケンス
902  TDD自己完結型サブフレーム、第1のサブフレーム
904  TDD自己完結型サブフレーム、第1のサブフレーム
906  TDD自己完結型サブフレーム、第1のサブフレーム、第3のサブフレーム
908  TDD自己完結型サブフレーム、UL中心サブフレーム
910  TDD自己完結型サブフレーム、DL中心サブフレーム
1000  フローチャート
1100  フローチャート
【図１】
2020174407.tif 000003
【図２】
2020174407.tif 000004
【図３】
2020174407.tif 000005
【図４】
2020174407.tif 000006
【図５】
2020174407.tif 000007
【図６】
2020174407.tif 000008
【図７】
2020174407.tif 000009
【図８】
2020174407.tif 000010
【図９】
2020174407.tif 000011
【図１０】
2020174407.tif 000012
【図１１】
2020174407.tif 000013
【外国語明細書】
2020174407000001.pdf